(57)【要約】ビデオ信号に追加の情報チャネルを提供するために、ビデオ信号の活性化部分の１つ又はそれ以上のライン上で、ビデオ信号内の輝度情報を、変調されたコンテンツデータのフレームで置換することにより、情報をビデオ信号へ符号化するシステム（１０）と方法である。変調及びビデオ同期回路（３２）は、コンテンツデータを、ビデオ同期情報を有する少なくとも１つの変調されたコンテンツデータのフレームへ変換する。インターリーバ（３４）は、変調及びビデオ同期回路（３２）へ機能的に接続され、そして、ビデオ信号の少なくとも１つの選択されたライン内で、変調されたコンテンツデータのフレームをインターリーブする。ターリーブする。
2004531185.tif 000002
【特許請求の範囲】
【請求項１】
情報をビデオ信号のビデオデータストリームへ符号化するシステムであって、コンテンツデータを、ビデオ同期情報を有する少なくとも１つの変調されたデータのフレームへ変換する変調及びビデオ同期回路と、ビデオデータストリームの少なくとも１つの選択されたライン内で、変調されたデータのフレームをインターリーブする、前記変調及びビデオ同期回路に機能的に接続されたインターリーバとを有するシステム。
【請求項２】
コンテンツデータを伴なう符号化されたビデオデータストリームを受信し且つそこからコンテンツデータを抽出する復号回路を有し、前記復号回路は、ビデオデータストリームから符号化されたコンテンツデータを有するビデオラインを変調されたコンテンツデータのフレームへ分離するラインデインターリーバを有し、且つ、前記復号回路は、変調されたデータのフレーム内のいずれのコンテンツデータに対してもＤＣバイアスレベルを回復する、ＤＣ回復回路をも有する、ことを特徴とする、請求項１に記載のシステム。
【請求項３】
前記復号回路は、変調されたコンテンツデータのフレームを同期させるビット及びフレーム同期回路を有し、且つ、変調されたコンテンツデータのフレームをコンテンツデータへ復調し且つ復号する復調／復号回路を有する、請求項２に記載のシステム。
【請求項４】
放送フォーマットに準拠するビデオ信号を受信し且つ、そのビデオ信号を、コンテンツデータと共に符号化されるビデオデータストリームへ変換する、ビデオ信号復号器回路を有し、ビデオ信号は、ナショナルテレビジョンシステムコミッティー（ＮＴＳＣ）方式、ディジタルアドバンスドテレビジョンシステムコミッティー（ＡＴＳＣ）方式、Ｓｅｑｕｅｎｔｉｅｌ  Ｃｏｕｌｅｕｒ  ａ  Ｍｅｍｏｉｒｅ（ＳＥＣＡＭ）方式又は、フェーズアルターネーションライン（ＰＡＬ）方式に準拠する放送フォーマットの１つを有する放送フォーマットに準拠する、ことを特徴とする、請求項１に記載のシステム。
【請求項５】
コンテンツデータを伴なう符号化されたビデオ信号を受信し且つコンテンツデータを抽出する復号回路を有する、変調されたコンテンツデータのフレームでインターリブした後のビデオデータストリームを受信し且つビデオデータストリームを放送フォーマットに準拠するビデオ信号へフォーマットする前記インターリーバに機能的に接続されたビデオ信号フォーマット化回路を有し、その復号回路は、ビデオ信号をビデオデータストリームへ変換するビデオ信号復号器とビデオデータストリームからコンテンツデータを抽出するライン分離及び回復回路を有する、ことを特徴とする請求項１に記載のシステム。
【請求項６】
ビデオデータストリームとビデオ同期情報を有する変調されたをコンテンツデータのフレームを受信し且つ、ビデオディスプレイ上で見ることから実質的にさえぎられるビデオデータストリームの少なくとも１つの選択されたビデオライン以内で変調されたデータのフレームをインタリーブするインターリーバを有する、情報をビデオデータストリームへ符号化する符号化器。
【請求項７】
放送フォーマットに準拠するビデオ信号を受信し且つビデオ信号をコンテンツデータと共に符号化されるビデオデータストリームへ変換するビデオ信号復号回路を有する、コンテンツデータをビデオ同期情報を有する少なくとも１つの変調されたデータのフレームへ変換する変調及びビデオ同期回路を有する、ことを特徴とする請求項６に記載の符号化器。
【請求項８】
ビデオ信号をビデオデータストリームへ変換するビデオ信号復号器とビデオデータストリームからコンテンツデータを抽出するライン分離及び回復回路を有する、ビデオ信号に関する追加の情報チャネルを提供するために、ビデオ信号の活性化部分の１つ又はそれ以上のライン上で、変調されたコンテンツデータのフレームと、輝度情報が置換されたビデオ信号を復号する復号器。
【請求項９】
前記ライン分離及び回復回路は、ビデオデータストリームからの符号化されたコンテンツデータを有するビデオラインを変調されたコンテンツデータのフレームへ分離するラインデインターリーバを更に有し、前記ライン分離及び回復回路は、前記ラインデインターリーバに機能的に接続され且つ変調されたデータのフレーム内の符号化されたコンテンツデータへのＤＣバイアスレベルを回復するために前記ビデオデータストリームに作用するＤＣ回復回路を更に有する、請求項８に記載の復号器。
【請求項１０】
変調されたコンテンツデータのフレームを同期させるビット及びフレーム同期回路と、変調されたコンテンツデータのフレームをコンテンツデータへ復調し且つ復号する復調／復号回路を有する、ことを特徴とする請求項９に記載の復号器。
【請求項１１】
ビデオ信号に関する追加の情報チャネルを提供するために、ビデオ信号内の輝度情報を、ビデオ信号の活性化部分の１つ又はそれ以上のライン上で、変調されたコンテンツデータのフレームと、置換するステップを有する、情報をビデオ信号へ符号化する方法。
【請求項１２】
コンテンツデータのフレームをビデオ同期情報でカプセル化することにより変調されたデータのフレームを構成するステップを有し、同期のためのフレームシーケンスとフレームマーカを埋め込むステップを有し、コンテンツデータのストリームを誤り訂正及び変調情報で符号化することにより変調されたコンテンツデータのフレームを形成するステップを有し、且つ、変調されたコンテンツデータのフレームを、見ることから実質的にさえぎられるビデオディスプレイの上部又は下部に対応する、ビデオ信号の少なくとも上部及び下部のビデオラインの１つ上で置換するステップを有する、ことを特徴とする請求項１１に記載の方法。
【請求項１３】
変調されたコンテンツデータのフレームと、テレビジョン上で見ることから実質的にさえぎられるビデオディスプレイの上部又は下部に対応する、ビデオ信号の少なくとも上部及び下部のビデオラインの１つ上で置換するステップを有し、そのコンテンツデータは、ビデオ信号放送フォーマットについての誤り訂正及び変調情報と共に符号化されたディジタルコンテンツデータを含む、情報をテレビジョン信号のビデオ信号へ符号化する方法。
【請求項１４】
コンテンツデータと共に向上されるビデオデータストリームとしてビデオ信号を受信するステップと、コンテンツデータをコンテンツデータのフレームへ変換するステップと、変調されたコンテンツデータのフレームを形成するためにビデオ同期情報と変調データをコンテンツデータのフレームへ付加するステップと、ビデオデータストリームの少なくとも１つの選択されたビデオライン内で変調されたコンテンツデータのフレームをインターリーブするステップと、ビデオデータストリームを放送のためのビデオ信号へ変換するステップと、復号器内でビデオ信号を受信し且つそのビデオ信号をビデオデータストリームへ復号するステップと、そのビデオデータストリームからコンテンツデータを抽出するステップとを有し、前記抽出するステップは、ビット及びフレーム同期回路内のシステム雑音と伝送歪みを除去するステップを含む、どのコンテンツデータについてのＤＣバイアスレベルも回復するステップを有する、ビデオ信号を処理する方法。
【発明の詳細な説明】
【０００１】
本発明は、ビデオ信号の符号化の分野に関連し、特に、新たなデータコンテンツをビデオ信号の活性化部分に挿入することにより、情報をビデオ信号へ符号化するシステムに関連する。
【０００２】
テレビジョン放送。民生用ビデオテープ、異なって蓄積されたマルチメディアビデオフォーマット、及び、ライブ又はテープ録画の無線放送が、更に複雑になり、多くのチャネルフォーマットを有し、そして、新たなサービスとこれらのシステムに関連するデータを付加する要求が増加している。追加情報を含むコンテンツデータを、ナショナルテレビジョンシステムコミッティー（ＮＴＳＣ）方式、ディジタルアドバンスドテレビジョンシステムコミッティー（ＡＴＳＣ）方式、Ｓｅｑｕｅｎｔｉｅｌ  Ｃｏｕｌｅｕｒ  ａ  Ｍｅｍｏｉｒｅ（ＳＥＣＡＭ）方式又は、フェーズアルターネーションライン（ＰＡＬ）方式に準拠する放送フォーマットを含む、種々の放送フォーマットのビデオ信号へ挿入するために、異なる送信の方法が使用されている。アクティブ（活性化）及びブランク部分の両方が使用される。テキスト情報がビデオ信号の活性化された部分内の信号のビデオ部分の代わりに使用される、テレテックスのように、輝度及び色差キャリアへの異なる修正が、普通に活用される。
【０００３】
他の知られたデータ挿入技術は、ビデオ信号の垂直及び水平ブランキング期間へのデータの挿入を含む。既知の例は、聴覚障害者の補助として主に使用されるクローズドキャプションシステムである。この形式のデータ挿入技術では、テキストデータは、垂直ブランキング期間へ符号化される。
【０００４】
これらの既知の技術は異なる供給者により開示されている。米国特許番号５，６６３，７６６及び５，９２９，９２０の明細書に開示されている１つの技術は、ディジタル情報により変調されたキャリア信号をビデオ信号へ加算する。この変調されたキャリア信号は、ビデオスペクトラムのピークに対応する周波数以外にある。受信機は、ビデオ信号を光学的に検知しそして、符号化されたディジタルコンテンツデータを回復するように配置される。このように、受信機は、光学的にスクリーン輝度を見る。
【０００５】
追加の伝送チャネルがビデオ信号の活性化された部分に設けられる、本発明により、この知られた欠点は解決される。これは、テレビジョンのような、平均的な民生用ビデオディスプレイ上に表示されるビデオの視覚的内容に悪影響を及ぼすことなく、達成される。ビデオコンテンツは、ビデオ信号の活性化された部分内で、コンテンツデータと置換される。例えば、輝度情報は、垂直又は水平ブランキング期間よりも、ビデオ信号の活性化された部分の１つ又はそれ以上のライン上で、変調されたコンテンツデータのフレームと置換される。これは、コンテンツデータの追加の伝送チャネルを提供する。
【０００６】
本発明は、情報をビデオ信号のビデオデータストリームへ符号化するシステムであって、コンテンツデータを、ビデオ同期情報を有する少なくとも１つの変調されたデータのフレームへ変換する変調及びビデオ同期回路と、ビデオデータストリームの少なくとも１つの選択されたライン内で、変調されたデータのフレームをインターリーブする、前記変調及びビデオ同期回路に機能的に接続されたインターリーバとを有するシステムを有する。
【０００７】
このシステムは、コンテンツデータを、ビデオ同期情報を有する少なくとも１つの変調されたデータのフレームへ変換するデータ変調及びビデオ同期回路を有する。インターリーバは、ビデオデータストリームの少なくとも１つの選択されたライン内で、変調されたコンテンツデータのフレームをインターリーブするために、この回路に機能的に接続されている。復号回路は、コンテンツデータを伴なう符号化されたビデオ信号を受信し且つらコンテンツデータを抽出する。復号回路は、ビデオデータストリームからビデオラインを変調されたコンテンツデータのフレームへ分離するラインデインターリーバを有する。ＤＣ回復回路は、いずれのコンテンツデータに対してもＤＣバイアスレベルを回復する。ビット及びフレーム同期回路は、変調されたコンテンツデータのフレームを同期させ、これには、変調されたコンテンツデータのフレームをコンテンツデータへ復調し且つ復号する復調／復号回路が続く。
【０００８】
本発明の他の面では、ビデオ信号復号器回路は、放送フォーマットに準拠するビデオ信号を受信し且つ、そのビデオ信号を、コンテンツデータと共に符号化されるビデオデータストリームへ変換する。このビデオ信号は、ナショナルテレビジョンシステムコミッティー（ＮＴＳＣ）方式、ディジタルアドバンスドテレビジョンシステムコミッティー（ＡＴＳＣ）方式、Ｓｅｑｕｅｎｔｉｅｌ  Ｃｏｕｌｅｕｒ  ａ  Ｍｅｍｏｉｒｅ（ＳＥＣＡＭ）方式又は、フェーズアルターネーションライン（ＰＡＬ）方式に準拠する放送フォーマットに準拠する。
【０００９】
本発明は、ビデオ信号に関する追加の情報チャネルを提供するために、ビデオ信号内の輝度情報を、ビデオ信号の活性化部分の１つ又はそれ以上のライン上で、変調されたコンテンツデータのフレームと、置換するステップを有する、情報をビデオ信号へ符号化する方法も含む。
【００１０】
本発明を、添付の図面を参照して例により以下に説明する。
【００１１】
本発明は、利点があり且つ、平均的な民生用テレビジョン又は、他のビデオ表示装置のような、ビデオディスプレイの視覚的内容に悪影響を及ぼすことなしに、ビデオ信号の活性化部分内に、追加の伝送チャネルを提供する。ある量のビデオをビデオ信号の活性化部分内で、コンテンツデータと置換することを可能とする。この最も一般的な方法では、本発明は、輝度情報を、典型的には、多くの従来の応用のような垂直又は水平ブランキング期間よりも、ビデオ信号の活性化された部分の１つ又はそれ以上のライン上で、変調されたコンテンツデータのフレームと置換する。これは、利益のあるそして追加のコンテンツデータに対する伝送チャネルを提供する。図４に示されているように、ビデオ信号内の輝度情報は、好ましくはビデオ信号の上方及び下方のビデオライン内の、ビデオ信号の活性化部分の１つ又はそれ以上のライン上で、変調されたコンテンツデータのフレームと置換される。これらのラインは、典型的には、実質的には又は部分的には見ることからさえぎられるビデオディスプレイの上方及び下方に対応する。
【００１２】
本発明は、蓄積されたビデオテープ、活性化されたビデオフレームを有するＡＶＩファイルのような種々のマルチメディアフォーマット、及び、ライブ又はテープ記録の無線放送のような、多くの異なる形式のビデオ信号で使用可能である。放送ビデオ信号は、ナショナルテレビジョンシステムコミッティー（ＮＴＳＣ）方式、ディジタルアドバンスドテレビジョンシステムコミッティー（ＡＴＳＣ）方式、Ｓｅｑｕｅｎｔｉｅｌ  Ｃｏｕｌｅｕｒ  ａ  Ｍｅｍｏｉｒｅ（ＳＥＣＡＭ）方式又は、フェーズアルターネーションライン（ＰＡＬ）方式に準拠する放送フォーマットビデオ信号に準拠することが好ましい。
【００１３】
図１−３は、コンテンツデータのような情報をビデオ信号上に符号化する本発明の全体システム１０の基本ブロック図（図１と２）及び、追加の情報チャネルを提供するために、ビデオの活性化部分の１つ又はそれ以上のライン上に置換された変調されたコンテンツデータのフレームを有するビデオ信号を復号するのに使用される、復号器１２（図３）を示す。
【００１４】
基本ブロック回路図は当業者によりなされる設計変更に依存して変わるが、説明は、ナショナルテレビジョンシステムコミッティー（ＮＴＳＣ）方式の放送フォーマット規格に準拠するビデオ信号に関連して進める。
【００１５】
図１に示されたように、ＮＴＳＣビデオ信号は、ブランキング期間処理回路１４、及び、輝度及び色差処理回路１６を有する、当業者により知られた、基本ビデオ処理回路に入る。Ｙビデオ情報信号は、輝度及び色差処理回路１６から、当業者には知られた基本ビデオ処理回路を使用する、水平及び垂直同期及び検出回路１８へ送られる。データ変換とバッファリング及び同期回路２０は、ブランキング期間処理回路１４からブランキング情報信号を、そして、輝度及び色差処理回路１６からＹ及びＣｒＣｂデータを受信する。検出された信号は、水平及び垂直同期及び検出回路１８からも受信される。データ変換とバッファリング及び同期回路は、放送準拠のビデオ信号を、以下に説明するインターリーブのために、適切なビデオデータストリームへ変換する。ＯＲ回路２２は、蓄積されたビデオデータベース２４から受信された蓄積されたビデオデータの処理を可能とし、そして、ビデオ信号源の選択のためのスイッチとして働き、又は、２つのソースからのビデオをマージできる。
【００１６】
向上コンテンツデータベース２６に格納されたコンテンツデータとライブ向上コンテンツデータストリーム２８は、向上データ符号化器及び変調器とラベルが付された、変調及びビデオ同期回路３２内での後の変調のために、ＯＲ回路３０で選択され又はマージされる。この回路３２は、向上コンテンツデータベース２６又はライブ向上コンテンツデータストリーム２８から受信されたコンテンツデータを、インターリーバ３４へ送られる、ビデオ同期情報を有する少なくとも１つの変調されたデータのフレームへ変換する。この回路３２は、カプセル化によるような、適切な誤り符号化情報、及び、ビット及びフレームマーカを有するビデオ同期情報を、付加する。
【００１７】
同時に、ビデオデータストリームの一部は、タイミング及び変調されたコンテンツデータのフレームとビデオデータストリームの適切なインターリーブのために、変調及びビデオ同期回路３２及びインターリーバ３４と共に動作する、インターリーブ処理及び制御回路３６へ送られる。インターリーバは、適切なバッファリングとタイミングのためのバッファ回路３８からのビデオデータストリームを受信し、そして、ビデオデータストリーム内の少なくとも１つの選択されたライン内で、変調されたコンテンツデータのフレームをインターリーブする。
【００１８】
図４に示されたように、本発明の一面は、見ることから実質的にさえぎられるビデオディスプレイの上方及び下方に対応するビデオ信号内の上方及び下方ビデオライン内で、変調されたデータのフレームのインターリーブを可能とする。ディジタルビデオは、インターリーバ３４から、インターリーブ後のビデオデータストリームを受信し、且つ、当業者により知られた技術でビデオデータストリームを、知られた放送フォーマットに準拠するビデオ信号へフォーマットする、ビデオ信号フォーマット回路４０へ出力される。本発明の例では、図２に示されたように、放送フォーマットはＮＴＳＣ放送フォーマットである。
【００１９】
図２に示されたように、ビデオデータストリームはＮＴＳＣ規格のビデオ信号へフォーマットされ、ビデオ信号フォーマット回路は、インターリーバ３４からディジタルビデオデータストリームを受信する、輝度及び色差データ分離回路４２を有する。これは、分離されたデータ信号をそれぞれのＹフィルタ回路４４及び、次に当業者には既知の色差変調回路４６に接続されるＣフィルタ回路４５へ送る。コピー保護情報４８が、加算回路５０ａ、５０ｂを通して、Ｙフィルタ回路４４と色差変調回路４６から受信された信号へ付加される。垂直ブランキング及び期間データ処理回路５２は、Ｙフィルタ加算回路５０ａに接続され且つ輝度出力信号を出力する、加算回路５４に接続されている。この信号の一部は、コンポジット出力信号のために、加算回路５０ｂからの、コピー保護された色差変調信号の一部を受信する加算回路５６へ送られる。色差出力信号は、加算回路５０ｂから出力される。
【００２０】
本発明で使用する復号器１２は、図３に示されている。６０で示された破線の構成は、インターシル８１１７ビデオ処理チップのような、標準ビデオ処理チップに対応する。チップ６０は、自動利得制御及びクランピング回路６２を含む、標準ビデオ処理機能要素を含む。その回路６２から、信号は、ブランキング期間処理回路６４、Ｙデータ及び、Ｙ及びＣｒＣｂデータを出力する輝度及び色差処理回路６６、及び、Ｙデータを受信する水平及び垂直同期検出回路６８で処理される。データ変換とバッファリング及び同期回路７０は、ブランキング期間処理回路６４からブランキング情報を、輝度及び色差処理回路６６からＹ及びＣｒＣｂデータを、そして、水平及び垂直同期検出回路６８から同期信号を受信する。この回路７０は、ディジタル的に、ビデオ信号をビデオデータストリームへ処理する。
【００２１】
破線の構成７２により示されたライン分離及び回復回路は、ビデオデータストリームから，変調されたコンテンツデータのフレームを抽出する。示されているように、ラインデインターリーバ回路７４は、ビデオデータストリームからの符号化されたコンテンツデータを有するビデオラインを、変調されたデータのフレームへ分離する。ＤＣ回復回路７６は、コンテンツデータについて、ＤＣバイアスレベルを回復する。この回路は、ＤＣ処理制御として動作しそして、それが単一のコンポジット又は輝度に変換されたＲＧＢであるかどうか及び、使用のために何が有効であるかのような、中間レベルビデオ情報を決定する。この輝度値は、この時点で取り去られることが可能である。上方及び下方範囲は入力信号に基づいて知られることが可能であるので、ＤＣ回復は、これらの値に関して行われ、そして、２次のＤＣ回復として動作できる。
【００２２】
ビット及びフレーム同期回路７８は、符号化シーケンスの一部として、フレームマーカとフレームシーケンスを決定する。これらは、元の符号化内で、同期の一部として符号化された。この回路は、マーカーシーケンスを決定し、そして、当業者には知られた技術により、独立のサンプリングレートで同期させる。知られているように、処理回路と技術によりシステム雑音と伝送歪みは除去されることが可能である。このビット及びフレーム同期回路７８は、高次の変調技術が使用されているときには、等価器を含みうる。復調／復号回路８０は、変調されたデータのフレームをコンテンツデータへ復調し且つ復号する。このように、コンテンツデータは取り出される。
【００２３】
図５は、本発明に従った、ビデオ信号を処理する基本的な方法を示す基本的な高レベルフローチャートを示す。ビデオデータストリームは、コンテンツデータと共に向上されるために受信される（ブロック１００）。コンテンツデータは、受信されそしてコンテンツデータのフレームへ変換される（ブロック１０２）。同期情報と変調データが、コンテンツデータのフレームへ付加され、変調されたコンテンツデータのフレームが形成される（ブロック１０４）。変調されたコンテンツデータのフレームは、ビデオデータストリームの少なくとも１つの選択されたビデオライン内で、インターリーブされる（ブロック１０６）。ビデオデータストリームは、ビデオ信号及び放送へ変換される（ブロック１０８）。ビデオ信号は、復号器内で受信され（ブロック１１０）そして、ビデオデータストリームへ復号される（ブロック１１２）。このコンテンツデータは、ビデオデータストリームから抽出される（ブロック１１４）。
【００２４】
図５−６を参照すると、インターリーブ処理記述は、ＡＶＩファイルのインターリーブについて示されている。例えば、一面では、コンテンツデータと共に向上されるＡＶＩファイルは、ビデオピクチャの個々のフレームは、修正について利用できるように、オープンされる、と仮定される。例えば、ビデオは、例えば、動作するために、２９．９７ＦＰＳである。幾つかのラインは、ＡＶＩファイルの毎フレームで置換される。ＡＶＩファイルは、活性化ビデオフレームを構成するために４８０掛ける７２０ＲＧＢ画素を有するように構成され（図６）、しかし、他の画素の解像度も使用されることが可能である。ＲＧＢ画素は、１５ビットパック表現即ち、ＸＲＲＲＲＲＧＧＧＧＧＢＢＢＢＢ、と仮定される。
【００２５】
図７に示されたように、ビデオラインへ置換される情報のラインは、５シンボルのクロックランイン、１３シンボルの同期データ、２シンボルの同期ガード、２シンボルのデータＩＤ、２シンボルのフレームマーカ、２０８シンボルのデータコンテンツ、２シンボルの予約空間、及び、４シンボルのクロックランアウトを有し、非限定的な例として、７１４ＲＧＢ画素で合計の２３８シンボルを構成する。このラインは、特徴的なデータフィールドとともに挿入され、データフィールドは、図８に示された表からのように発生される。当然に、フレームマーカ及びデータフィールドを構成する異なる技術は、当業者により知られる技術により暗示されるように使用されることが可能である。
【００２６】
図６−８に関する記載は、ＭＰ３オーディオデータ又は他のデータと共に使用するためのＡＶＩファイルについてのインターリーブ処理を記述するが、当業者に暗示されるように他の技術が使用できる。
【００２７】
図９は、住宅にいる住民の消費者が、本発明のシステムをどのように使用するかを示す。記録されたビデオソース１５０又は、記録された記述ソース１５２は、標準ビデオから得られそして、広帯域向上ビデオコンテンツを構成するために、本発明のシステムを使用して、適切な符号化ソフトウェア及びアルゴリズムを有する、コンピュータシステム１５４により符号化され、これは、そして、印刷又は放送のためのビデオマスタ１５６へ転送される。ビデオテープ又は放送配信は、住居で、標準ＶＣＲ，ＤＶＤ、ＤＳＳ又は、ケーブルユニット１６２内での、消費者の受信を可能とし、そして、広帯域向上ビデオコンテンツは、本発明の広帯域コンテンツ復号器１６６内で復号される。復号器データは、更なる処理のために外部受信装置１６８へ供給される。標準テレビジョン１７２は、ビデオ信号を受信するとして、示されている。
【００２８】
ビデオ信号に追加の情報チャネルを提供するために、ビデオ信号の活性化部分の１つ又はそれ以上のライン上で、ビデオ信号内の輝度情報を、変調されたコンテンツデータのフレームで置換することにより、情報をビデオ信号へ符号化するシステム（１０）と方法である。変調及びビデオ同期回路（３２）は、コンテンツデータを、ビデオ同期情報を有する少なくとも１つの変調されたコンテンツデータのフレームへ変換する。インターリーバ（３４）は、変調及びビデオ同期回路（３２）へ機能的に接続され、そして、ビデオ信号の少なくとも１つの選択されたライン内で、変調されたコンテンツデータのフレームをインターリーブする。
【図面の簡単な説明】
【図１】
情報を例示のナショナルテレビジョンシステムコミッティー（ＮＴＳＣ）方式ビデオ信号へ符号化するシステムのブロック図であり、インターリーバとビデオ信号フォーマット回路を含む本発明の基本回路を示す図である。
【図２】
図１に示された情報を符号化するシステムの一部の他のブロック図であり、ナショナルテレビジョンシステムコミッティー（ＮＴＳＣ）方式準拠の放送フォーマットで使用する例示のビデオ信号フォーマット回路の詳細を示す図である。
【図３】
コンテンツデータと共に符号化されたビデオ信号から、コンテンツデータを抽出する、本発明で使用できる復号器のブロック図を示す図である。
【図４】
上方及び下方ビデオライン内で置換された、変調されたコンテンツデータのフレームを示すビデオフレームの例を示す図である。
【図５】
動作の方法を示す高レベルフローチャートを示す図である。
【図６】
本発明で使用される、ＡＶＩファイル又はＣＣＩＲデータストリームについての活性化ビデオフレームを示す図である。
【図７】
活性化ビデオフレームのビデオラインへ置換されることが可能な情報のラインの例を示す図である。
【図８】
何の種類のシンボルが、図６の活性化ビデオフレームに対するインターリーブ処理のために発生されうるかを示すテーブルを図である。
【図９】
住宅での消費者による本発明の使用を示す全体的なシステムの概要を示す図である。
【図１】
2004531185.tif 000003
【図２】
2004531185.tif 000004
【図３】
2004531185.tif 000005
【図４】
2004531185.tif 000006
【図５】
2004531185.tif 000007
【図６】
2004531185.tif 000008
【図７】
2004531185.tif 000009
【図８】
2004531185.tif 000010
【図９】
2004531185.tif 000011
【国際公開パンフレット】
2004531185.tif 000012
2004531185.tif 000013
2004531185.tif 000014
2004531185.tif 000015
2004531185.tif 000016
2004531185.tif 000017
2004531185.tif 000018
2004531185.tif 000019
2004531185.tif 000020
2004531185.tif 000021
2004531185.tif 000022
2004531185.tif 000023
2004531185.tif 000024
2004531185.tif 000025
2004531185.tif 000026
2004531185.tif 000027
2004531185.tif 000028
2004531185.tif 000029
2004531185.tif 000030
【国際公開パンフレット（コレクトバージョン）】
2004531185.tif 000031
【国際調査報告】
2004531185.tif 000032
2004531185.tif 000033
2004531185.tif 000034